(57)【要約】【課題】戸枠の施工作業を簡易にかつ効率的にでき、さらにレール体の保守、交換も容易にできる戸枠を提供する。【解決手段】上枠１０は、戸板４の上端部が係合するレール溝１２が形成されたレール体構造とされ、レール溝１２の長手方向の端部近傍には縦枠７によって支持される被支持部１５が形成されており、上枠１０は、長手方向の両端部のそれぞれにおいて、被支持部１５を支持、固定する上枠支持部２０ａと、縦枠７の内側面にねじ具３５で固定される固定部２０ｂとを備えた連結部材２０を介して、縦枠７に連結される。【選択図】図１
2015068006.tif 000002
【特許請求の範囲】
【請求項１】
開口部の両端に立設される縦枠と、該縦枠間に連結される上枠とを備えた戸枠であって、
前記上枠は、戸板の上端部が係合するレール溝が形成されたレール体構造とされ、該レール溝の長手方向の端部近傍には前記縦枠によって支持される被支持部が形成されており、
前記上枠は、長手方向の両端部のそれぞれにおいて、前記被支持部を支持、固定する上枠支持部と、前記縦枠の内側面に固定具で固定される固定部とを備えた連結部材を介して、前記縦枠に連結されることを特徴とする戸枠。
【請求項２】
請求項１において、
前記被支持部は、上板と、前記上枠支持部に対する前記上枠の前記縦枠に対する見込み方向の相対移動を規制する、前記上板より下方に垂下した両側壁と、該両側壁間に形成された開口を有した開口片部とにより形成された収容部を有した構造とされており、
前記連結部材は、逆Ｌ字状にして使用されるＬ形部材と、ブロック片とを有しており、
前記ブロック片は、前記収容部に収容され、収容された前記ブロック片の下方に配された前記Ｌ形部材の横片部に、前記開口片部の開口を通じて固定されて前記上枠支持部を構成する一方、前記Ｌ形部材の縦片部が前記固定部を構成し、
前記上枠支持部は、前記Ｌ形部材の横片部と、前記ブロック片とが前記開口片部を挟着することで、前記上枠を前記縦枠に固定させることを特徴とする戸枠。
【請求項３】
請求項２において、
前記上枠は、前記レール溝を複数有しており、
前記収容部は、前記レール溝間に形成され、前記収容部の両側壁が前記レール溝の溝壁で構成されていることを特徴とする戸枠。
【請求項４】
請求項３において、
前記収容部は、見込み方向に複数並設されていることを特徴とする戸枠。
【請求項５】
請求項１〜４のいずれか１項において、
前記上枠の見込み方向の側端部を覆う、係合部を有した化粧カバーをさらに備えており、
前記上枠の見込み方向の少なくとも一方の側端部には、前記化粧カバーの係合部と係合する係合受部が形成されていることを特徴とする戸枠。
【発明の詳細な説明】
【技術分野】
【０００１】
本発明は、壁等の開口部に取り付ける戸枠に関する。
【背景技術】
【０００２】
建物の壁等の開口部を開閉するための引戸等の戸枠として、たとえば特許文献１に記載のものが挙げられる。この種の戸枠は、開口部の両端に立設される縦枠と、縦枠間に連結される上枠と、縦枠間に連結される下枠とを備えている。
【０００３】
この上枠は、木質材よりなる上枠体の下面に上レール（レール体）が取り付けられて構成されている。その上レールに形成されたレール溝に戸板の上端部（ランナー部材）が係合し、かつ下レールのレール溝に下端部の戸車が係合して、戸板が上枠の長手方向に沿って縦枠間を移動できるようになっている。
【先行技術文献】
【特許文献】
【０００４】
【特許文献１】特開２００８−１０６５３８号公報
【発明の概要】
【発明が解決しようとする課題】
【０００５】
ところで、このような戸枠は、美観を良くするために、縦勝ちで組み立てられることが通例となっている。つまり、上枠（上枠体）が縦枠間に挟まれるようにして施工される。上枠体と縦枠との連結固定は、縦枠の外面から上枠体にねじ止めすることによりなされる。そのため、上枠体と下枠とを縦枠間に取り付けてから、その組立物が開口部に取り付けられる。そして、その後、上レールが開口部に取り付けた上枠に後付けされる。
【０００６】
このように、従来の戸枠の上枠は、上レールを後付けできるように分離構成されているため、上レールの取り付け、取り外しができる。そのため、レール体の保守、交換なども容易に行える。
【０００７】
しかしながら、上枠を構成する上枠体と上レールの２部材は、上述したように、それぞれ別々に施工しなければならず、施工作業全体としてみれば、決して作業効率がよいとはいえない。
【０００８】
本発明は、このような事情を考慮して提案されたもので、その目的は、戸枠の施工作業を簡易にかつ効率的にでき、さらにレール体の保守、交換も容易にできる戸枠を提供することにある。
【課題を解決するための手段】
【０００９】
上記目的を達成するために、本発明の戸枠は、開口部の両端に立設される縦枠と、縦枠間に連結される上枠とを備えた戸枠であって、上枠は、戸板の上端部が係合するレール溝が形成されたレール体構造とされ、レール溝の長手方向の端部近傍には縦枠によって支持される被支持部が形成されており、上枠は、長手方向の両端部のそれぞれにおいて、被支持部を支持、固定する上枠支持部と、縦枠の内側面にねじ具で固定される固定部とを備えた連結部材を介して、縦枠に連結されることを特徴とする。
【００１０】
本発明においては、被支持部は、上板と、上枠支持部に対する上枠の縦枠に対する見込み方向の相対移動を規制する、上板より下方に垂下した両側壁と、両側壁間に形成された開口を有した開口片部とにより形成された収容部を有した構造とされていてもよい。さらに、連結部材は、逆Ｌ字状にして使用されるＬ形部材と、ブロック片とを有し、ブロック片は、収容部に収容され、収容されたブロック片の下方に配されたＬ形部材の横片部に、開口片部の開口を通じて固定されて上枠支持部を構成する一方、Ｌ形部材の縦片部が前記固定部を構成してもよく、上枠支持部が、Ｌ形部材の横片部と、ブロック片とが開口片部を挟着することで、上枠を縦枠に固定させるようにした構成としてもよい。
【００１１】
本発明において、上枠はレール溝を複数有し、収容部がレール溝間に形成され、収容部の両側壁がレール溝の溝壁で構成された構成としてもよい。
【００１２】
本発明において、収容部が見込み方向に複数並設された構成としてもよい。
【００１３】
本発明において、上枠の見込み方向の側端部を覆う、係合部を有した化粧カバーをさらに備え、上枠の見込み方向の少なくとも一方の側端部には、化粧カバーの係合部と係合する係合受部が形成された構成としてもよい。
【発明の効果】
【００１４】
本発明の戸枠によれば、上述の構成となっているため、戸枠の施工作業を簡易にかつ効率的に行うことができる。また、上述の構成となっているため、レール体構造の上枠を、縦枠の開口部への設置後に後付けでき、さらに取り外しも簡単にできる。そのため、上枠（レール体）の保守、交換を容易に行うことができる。
【図面の簡単な説明】
【００１５】
【図１】（ａ）は、本発明の一実施形態に係る戸枠の分解斜視図である。（ｂ）は、上枠の拡大側面図（図１（ａ）のＡ方向から見た図）である。
【図２】連結部材の拡大分解斜視図である。
【図３】（ａ）は、連結部材の取付状態を示す上枠の拡大側面図（図１（ａ）のＡ方向から見た図）である。（ｂ）は、連結部材の取付状態を示す拡大部分縦断面図である。
【図４】（ａ）は、戸枠の取付状態を示す概略正面図である。（ｂ）は、戸枠の取付状態を示す概略横断面図である。
【発明を実施するための形態】
【００１６】
以下に、本発明の実施の形態について、添付図面にもとづいて説明する。
図１〜図４は、本発明の一実施形態に係る戸枠の説明図である。
【００１７】
本実施形態に係る戸枠１は、図４（ａ）の正面図および図４（ｂ）の横断面図に示すように、クローゼット（戸棚）の開口部３に取り付けられる引戸用の戸枠１である。この戸枠１には、開口部３を閉塞または一部を開放するための３枚からなる連動式の戸板４、４、４が戸枠１の縦枠７、７間をスライド自在に配置される。
【００１８】
この戸枠１は、壁２の開口部３の両端に立設される縦枠７、７と、縦枠７、７間に連結される上枠１０と、同様に縦枠７、７間に連結される、レール溝６ａを有した下枠６とを備えている。縦枠７、７および下枠６の主たる素材は木質材とされる一方、上枠１０の素材は硬質樹脂材またはステンレス等の金属材とされる。
【００１９】
上枠１０は、戸板４の上端部が係合するレール溝１２、１２、１２（図１（ａ）参照）が形成されたレール体構造とされる。レール溝１２、１２、１２の長手方向の端部近傍には縦枠７、７によって支持される被支持部１５、１５が形成されている。なお、戸板４の上端部は、図１（ｂ）に示すように、レール溝１２、１２、１２内を走行可能としたランナー部材５、５、５と連結して、戸板４、４、４がレール溝１２、１２、１２を移動できるようになっている。
【００２０】
この上枠１０は、連結部材２０、２０を介して、縦枠７、７のそれぞれに連結、固定されるようになっている。連結部材２０は、図２とともに詳述するように、上枠１０の長手方向の両端部のそれぞれにおいて、上枠１０の被支持部１５を支持、固定する上枠支持部２０ａと、縦枠７の内側面にビス３６などの固定具で固定される固定部２０ｂとを備えている。
【００２１】
一方、下枠６は、その上面にレール溝６ａが形成されており、その長手方向の両端部に縦枠７、７の外側面よりビス止めされて縦枠７、７に連結される。
【００２２】
戸板４の上端においては、連結されたランナー部材５が上枠１０のレール溝１２に係合する。一方、戸板４の下端では、下端に取り付けた戸車（不図示）が下枠６のレール溝６ａに係合する。このような戸板４が上下においてレール溝１２、６ａに対して係合することで、戸板４は縦枠７、７間を上下のレール溝１２、６ａに沿って移動できるようになっている。
【００２３】
本実施形態では、３枚の戸板４、４、４に対応して、上枠１０には、３列の平行なレール溝１２、１２、１２が形成され、下枠６にも同様に、３列の平行なレール溝６ａ、６ａ、６ａが形成されている（図１（ａ）参照）。
【００２４】
また、この戸枠１は、上枠１０の見込み方向の側端部を覆う化粧カバー３０をさらに備えている。上枠１０は、上述したように縦枠７、７や下枠６とは異なり樹脂または金属で形成されているため、側端部を縦枠７などの表面と同一意匠の化粧カバー３０で被覆することが望ましい。本実施形態の戸枠１はクローゼット用のものであるため、居住空間側Ｂの側端部のみを化粧カバー３０で覆うことができる構成となっている。
【００２５】
上枠１０に対し化粧カバー３０を着脱自在に取り付けできるようにするために、上枠１０の居住空間側Ｂの側端部には、２条の突条１８ａ、１８ａよりなる係合受部１８が形成されている。
【００２６】
化粧カバー３０は、居室空間側Ｂに配される化粧面部３１と、化粧カバー３０を上枠１０の側端部に取り付けるための２条の突条３２ａ、３２ａよりなる係合部３２とを備えてなる。少なくとも化粧面部３１の表面には、縦枠７や下枠６と同種の意匠（化粧）が施されていることが望ましい。化粧カバー３０としては、縦枠７や下枠６と同種の木質材または化粧面部３１の表面に縦枠７や下枠６と同種の化粧が形成された樹脂材より形成されたものが用いられる。
【００２７】
化粧カバー３０は、係合部３２が上枠１０の係合受部１８に噛み合わせ係合することで、上枠１０の側端部に取り付けられる。図１（ｂ）に示すように、化粧カバー３０の係合部３２の係合受部１８との係合面（凹部の内面）には、滑り止め用の凹凸３２ｂが形成されている。なお、上枠１０の係合受部１８に滑り止めを設けてもよい。
【００２８】
ついで、上枠１０の形状・構造、上枠１０を縦枠７に連結、固定するための連結部材２０の形状・構造、および、その連結部材２０の上枠１０、縦枠７に対する連結構造について順次、詳細に説明する。
【００２９】
上枠１０は、図１（ｂ）に示すように、上板１１と、係合受部１８と、３列のレール溝１２、１２、１２を形成するための、上板１１より垂下した６条の溝壁１２ａ、１２ａ、・・・と、上板１１の他方の側端部より垂下した補強用の垂下片１７とを備えている。
【００３０】
レール溝１２、１２、１２を形成した両溝壁１２ａ、１２ａ、・・・の各下端には、ランナー部材５、５、５を係合させるための係合片１２ｂ、１２ｂが、溝開口を狭める方向に突出形成されている。
【００３１】
３つのレール溝１２、１２、１２のそれぞれの間には、レール溝１２の溝壁１２ａを側壁１３ａとして有した２つの凹溝１３、１３が形成されている。それらの凹溝１３の溝開口１３ｃには、隣接するレール溝１２、１２の溝壁１２ａ、１２ａの下端から係合片１２ｂ、１２ｂとは反対の方向に開口を狭めるように延びた開口片部１３ｂ、１３ｂが形成されている。
【００３２】
この凹溝１３は、上枠１０の長手方向の全長にわたり連通している。凹溝１３は、その凹溝空間の上枠１０の長手方向の両端部のそれぞれにおいて、凹溝空間の一部をブロック片２１の収容空間として形成された収容部１４、１４を備えている。つまり、この収容部１４は、上板１１と、側壁１３ａ、１３ａ（溝壁１２ａ、１２ａ）と、開口片部１３ｂ、１３ｂとにより形成されている。
【００３３】
この収容部１４の内部収容空間は、後述する連結部材２０のブロック片２１を配するための空間である。このように上板１１、両側壁１３ａ、１３ａ、開口片部１３ｂ、１３ｂにより形成された収容部１４が、縦枠７に固定した連結部材２０によって支持される被支持部１５を構成する。
【００３４】
本実施形態では、上枠１０の長手方向の両端部にある対応する２つの収容部１４、１４の各空間は連通しているが、そうでなくてもよい。つまり、上枠１０の長手方向の両端部に設けられた２つの収容部１４、１４間が仕切られた構造であってもよい。
【００３５】
本実施形態の図例に示した上枠１０は、３列のレール溝１２、１２、１２を有した構造であるから、上枠１０には２列の凹溝１３、１３が形成されており、上枠１０の両端部のそれぞれにおいて２箇所ずつの被支持部１５、１５が連結部材２０に支持、固定されるようになっている。
【００３６】
なお、本実施形態の上枠１０は、レール溝１２、１２間の凹溝１３の両端部を被支持部１５、１５として用いる構成であるが、被支持部１５は凹溝１３に設けなくてもよい。被支持部１５は、レール溝１２の長手方向の端部近傍の種々の部位に設けるようにしてもよい。
【００３７】
連結部材２０、２０は、上枠１０の長手方向の両端部のそれぞれにおいて、同一形状のものが使用される。それぞれの連結部材２０は、図２に示すように、Ｌ形部材２２と、２つのブロック片２１、２１とより構成されている。
【００３８】
Ｌ形部材２２は、横片部２２ａと縦片部２２ｂとよりなり、図２に示すように逆Ｌ字状にして使用される。なお、縦片部２２ｂは、３枚の戸板４、４、４のうち両縦枠７、７側に配する戸板４、４（図４（ａ）における左右両側の戸板）の縦枠７、７でのはね返りを防止するために設けたストッパー部材８（図３（ａ）参照）と干渉しないために、一部が切り欠かれている。よって、ストッパー部材８を戸板４に取り付けない場合の戸枠１においては、縦片部２２ｂが切り欠かれていないＬ形部材２２を用いてもよい。
【００３９】
図４（ｂ）中の右側の戸板４を居室空間側Ｂに配すること（右勝手）を想定して、図１の上枠１０の右端側では、切欠き部２２ｅが居室空間側Ｂに配されるように、図２のような向きとしたＬ形部材２２が取り付けられる。また、図１の上枠１０の左端側では、右端側のＬ形部材２２と同一形状のＬ形部材２２が、切欠き部２２ｅがクローゼット収納空間側Ｃに配されるように取り付けられる（図１（ａ）、（ｂ）参照）。なお、左勝手の引戸の場合には、図２に示したＬ形部材２２と鏡像関係にある部材を用いればよい。
【００４０】
Ｌ形部材２２の横片部２２ａには、２つのブロック片２１、２１に対しＬ形部材２２をねじ具（雄ねじ）３５、３５で固定するための２つのねじ挿通孔２２ｂ、２２ｂが形成されている。縦片部２２ｃには、Ｌ形部材２２を縦枠７にビス（固定具）３６、３６で固定するための２つのビス孔２２ｄ、２２ｄが形成されている。
【００４１】
一方、ブロック片２１は、図２に示すように、直方体の本体２１ａの下面に突部２１ｂが突出した形状とされ、突部２１ｂの中央部より上方に向けて雌ねじ穴２１ｃが形成されている。このブロック片２１は、上枠１０の凹溝１３の長手方向の端部開口より挿入されて、上枠１０の収容部１４の空間に、凹溝１３の両側壁１３ａ、１３ａに挟まれて見込み方向に移動できないように、ほとんど隙間なく収容される形状となっている。
【００４２】
そして、ブロック片２１、２１とＬ形部材２２とが結合された状態では、Ｌ形部材２２の横片部２２ａのねじ挿通孔２２ｂ、２２ｂを形成した部位にブロック片２１、２１が配せられる。図２のクロス・ハッチングを付した部位は、ブロック片２１、２１の突部２１ｂ、２１ｂの各外面が接する部位である。
【００４３】
以上に説明したＬ形部材２２と、２つのブロック片２１、２１とよりなる連結部材２０は、上枠１０の被支持部１５を支持、固定する上枠支持部２０ａと、縦枠７の内側面にビス３６で固定される固定部２０ｂとを備えている。すなわち、上枠支持部２０ａはＬ形部材２２の横片部２２ａと、それに連結される２つのブロック片２１、２１とで構成され、一方、固定部２０ｂはＬ形部材２２の縦片部２２ｃで構成される。
【００４４】
つぎに、上枠支持部２０ａの上枠１０に対する連結構造、および、固定部２０ｂの縦枠７に対する固定構造について説明する。
【００４５】
連結部材２０が上枠１０を連結した状態では、上枠支持部２０ａのブロック片２１は、その突部２１ｂが溝開口１３ｃを塞ぐように収容部１４に収容されている。収容されたブロック片２１の下方には、上枠１０の開口片部１３ｂ、１３ｂをブロック片２１との間に挟んだ状態でＬ形部材２２の横片部２２ａが配され、ねじ具３５で固定されている。つまり、連結部材２０は、Ｌ形部材２２の横片部２２ａと、ブロック片２１とが開口片部１３ｂ、１３ｂを挟着した状態で上枠１０に取り付けられている。このようにして、連結部材２０の上枠支持部２０ａは、上枠１０の被支持部１５を連結、固定している。
【００４６】
なお、上枠１０を連結部材２０の上枠支持部２０ａに対し確実に固定するためには、ブロック片２１と、Ｌ形部材２２の横片部２２ａとで開口片部１３ｂ、１３ｂをしっかりと挟着（圧着）する必要がある。よって、ブロック片２１の突部２１ｂの突出寸法が開口片部１３ｂの厚みと同一か、それよりもやや小とすることが望ましい。
【００４７】
一方、連結部材２０の固定部２０ｂを構成するＬ形部材２２の縦片部２２ｂは、縦枠７の内側面にビス３６、３６で固定されている。
【００４８】
以上のように、縦枠７に連結部材２０が固定され、その連結部材２０の上枠支持部２０ａに上枠１０が連結、固定されることで、上枠１０は縦枠７、７間に連結、固定された状態となる。つまり、縦枠７、７が開口部３（図４参照）に立設、固定されているかぎり、上枠１０も開口部３に固定されることとなる。
【００４９】
戸枠１の施工手順としては、たとえばつぎのようにすればよい。
まず、作業者は縦枠７、７の所定の位置にＬ形部材２２、２２を取り付けておき、さらに両縦枠７、７間に下枠６を連結しておく。作業者は、両縦枠７、７および下枠６を開口部３（図４参照）に設置、固定する。
【００５０】
一方で作業者は、上枠１０の４箇所の収容部１４にブロック片２１を仮止めしておく。作業者は、その上枠１０を開口部３に設置した縦枠７、７間に、横片部２２ａのねじ挿通孔２２ｂの直上に対応して収容部１４（収容済みブロック片２１）が配されるように、上枠１０をＬ形部材２２、２２の横片部２２ａ、２２ａの上に架け渡すように載せ置く。作業者は、横片部２２ａの下方からねじ具３５をねじ挿通孔２２ｂに通して、ブロック片２１の雌ねじ穴２１ｃに螺着、締め付けする。
【００５１】
以上のようにして、上枠１０は、開口部３に取り付けした縦枠７、７間に連結、固定される。
【００５２】
このように、上枠１０がレール体構造の上枠（上レールが一体化した上枠）だけで構成されているので、施工作業を簡易かつ効率的に行うことができる。しかも、上枠１０は、縦枠７の内側面に設けた連結部材２０によって、開口部３に固定された縦枠７、７間に後付けすることができる。上枠１０が後付けできる連結構造であるため、いったん取り付けた上枠１０を開口部３より取り外すことも容易にでき、そのため、上枠１０（レール体）の保守、交換を容易に行うことができる。
【００５３】
また、上枠１０が上レールを含む一体構造であるため、従来の戸枠の構成にくらべ、部品点数を減らせられる。本実施形態として示したレール体構造の上枠１０は、図１（ｂ）に示すように押出成形により製造できる形状であるため、費用のさらなる低減化も図ることができる。
【００５４】
また、ランナー部材５を予めレール溝１２に装着しておく必要があるものでは、ランナー部材５を装着せずに上枠１０を開口部３に取り付けた場合や、他のランナー部材５を誤って装着した上枠１０を開口部３に取り付けた場合などのミスが発生するおそれがある。しかし、そのような場合でも、本戸枠１の構成であれば、いったん取り付けた上枠１０を取り外して、正規なものを再取り付けすることが簡単、迅速に行える。
【００５５】
また、本実施形態のように、連結部材２０がＬ形部材２２とブロック片２１、２１とで分離構成されているため、上述したように、ブロック片２１、２１を上枠１０に取り付け、Ｌ形部材２２を縦枠７に取り付けておくことができ、その結果、戸枠１を効率よく施工することができる。
【００５６】
さらに、連結部材２０のブロック片２１は、上枠１０の収容部１４の空間に、両側壁１３ａ、１３ａに挟まれて見込み方向に移動できないように配されるため、上枠１０は縦枠７に対して見込み方向への移動が規制される。なお、本実施形態の場合、両側壁１３ａ、１３ａのみならず、両開口片部１３ｂ、１３ｂもブロック片２１の突部２１ｂを見込み方向の両側より挟み込んでいるため、上枠１０と、連結部材２０を固定した縦枠７との連結一体感はさらに向上する。
【００５７】
また、開口片部１３ｂ、１３ｂを、ブロック片２１とＬ形部材２２の横片部２２ａとで挟着することで、上枠１０が連結部材２０に固定されるようになっているため、施工後に上枠１０がぐらつくおそれはほとんどない。よって、戸枠１の開口部３に対する強固な施工が実現できる。
【００５８】
また、収容部１４には開口片部１３ｂ、１３ｂが設けてあるため、ブロック片２１、２１を仮止めした上枠１０の運搬中などにブロック片２１が落下することを防止できる。さらに、ブロック片２１を収容部１４内で位置決めでき、かつ作業途中での落下を防止するために、たとえば開口片部１３ｂの内面の、収容部１４の奥側（中央側）と手前側のそれぞれに位置決め用（仮止め用）の突部を設けた構造としてもよい。
【００５９】
なお、戸枠１が開口部３に設置された状態では、上枠１０が縦枠７、７間に隙間なく配されることとなる。したがって、連結部材２０の上枠支持部２０ａによる上枠１０の被支持部１５に対する固定は、上枠１０が長手方向へ沿って移動できないように固定する必要はなく、上枠１０が縦枠７に対し見込み方向に移動できないように固定するだけの構成であってもよい。
【００６０】
すなわち、上枠１０の被支持部１５は、連結部材２０の上枠支持部２０ａにより、見込み方向に移動できないように支持される構成であればよく、種々の形状の適用が可能である。また、連結部材２０の上枠支持部２０ａについても種々の形状の適用が可能である。
【００６１】
上枠１０と連結部材２０とを相互に固定する構造としては、Ｌ形部材２２の横片部２２ａ、ブロック片２１、上枠１０の上板１１を、壁２（図４参照）側の梁（不図示）等にねじ固定するものであってもよい。また、ブロック片２１を用いずに、Ｌ形部材２２の横片部２２ａと、上枠１０の上板１１とを、壁２側の梁等にねじ固定するようにした固定構造としてもよい。
【００６２】
以上に示した本実施形態の戸枠１は、３枚の戸板４、４、４に対応したものであり、かつ収容部１４をレール溝１２、１２間の凹溝１３に設けた構成である。そのため、連結部材２０の１構成部材としてブロック片２１、２１を用いれば、上枠１０の長手方向の両端部の２箇所ずつにおいて連結部材２０とねじ固定することができる。このように両端部で２箇所ずつでの固定構造であるため、上枠１０と連結部材２０との連結強度をより高くすることができる。このように、３枚以上の戸板４、４、４に対応した上板１１では、強固で確実な連結構造を形成することができる。
【００６３】
以上には、戸枠１として引戸用のものを示したが、本戸枠１は折戸用にも適用が可能である。また、本戸枠１は上吊りタイプの引戸にも適用が可能である。さらに、本戸枠１は下枠６を有しない構成であってもよい
【符号の説明】
【００６４】
１          戸枠
２          壁
３          開口部
４          戸板
７          縦枠
１０        上枠
１１        上板
１２        レール溝
１２ａ      溝壁
１３        凹溝
１３ａ      側壁
１３ｂ      開口片部
１３ｃ      溝開口（開口）
１４        収容部
１５        被支持部
１８        係合受部
２０        連結部材
２０ａ      上枠支持部
２０ｂ      固定部
２１        ブロック片
２２        Ｌ形部材
２２ａ      横片部
２２ｃ      縦片部
３０        化粧カバー
３２        係合部
３５        ねじ具（雄ねじ）
３６        ビス（固定具）
【図１】
2015068006.tif 000003
【図２】
2015068006.tif 000004
【図３】
2015068006.tif 000005
【図４】
2015068006.tif 000006